(57)【要約】【課題】特別な保護部材や器具を用いることなく、安価で効率よく梱包でき、かつ、製品やボビンに負荷をかけずに十分な保管性、輸送安定性を有する巻物製品梱包体を提供すること。【解決手段】製品３がボビン１に巻かれてなる巻物製品の複数本がボビン１の軸を略鉛直方向として整列配置された段が複数積層された巻物製品の梱包体であって、それぞれの段において、巻物製品はボビン１端部において端部保持材２によって略鉛直方向に支持され、巻物製品は端部保持材２におけるボビン１外表面の少なくとも一部を支持する略鉛直方向に貫通した孔を有する凹部によって係止され、巻物製品における製品３端面は端部保持材２に接しておらず、鉛直方向に対向するボビン１端部同士は互いに接しないことを特徴とする巻物製品梱包体。【選択図】図３
2015113171.tif 000002
【特許請求の範囲】
【請求項１】
製品がボビンに巻かれてなる巻物製品の複数本がボビンの軸を略鉛直方向として整列配置された段が複数積層された巻物製品の梱包体であって、それぞれの段において、巻物製品はボビン端部において端部保持材によって略鉛直方向に支持され、巻物製品は端部保持材におけるボビン外表面の少なくとも一部を支持する略鉛直方向に貫通した孔を有する凹部またはボビン内表面の少なくとも一部を支持する略鉛直方向に貫通した孔を有する凸部によって係止され、巻物製品における製品端面は端部保持材に接しておらず、鉛直方向に対向するボビン端部同士は互いに接しないことを特徴とする巻物製品梱包体。
【請求項２】
端部保持材は二層以上のシート状部材からなり、製品端面と対向するシート状部材以外の少なくとも一層のシート状部材がボビン端部の外径よりも小さな孔径の孔を有し、ボビン端部の外径よりも小さな孔径の孔を有するシート状部材によってボビン端部が支持されることを特徴とする請求項１記載の巻物製品梱包体。
【請求項３】
巻物製品端面と対向するシート状部材はボビン端の外周と嵌合する孔径の孔を有することを特徴とする請求項２記載の巻物製品梱包体。
【請求項４】
端部保持材はボビン端部内径以下の孔径の孔を有する二層以上のシート状部材およびボビン端部内径以下の孔径の孔よりも小さな外径を有する筒状部材からなり、製品端面と対向するシート状部材以外の少なくとも一層のシート状部材は筒状部材の外径よりも小さな孔径の孔を有することで筒状部材を支持しており、筒状部材および製品端面と対向するシート状部材によってボビン端部が支持されることを特徴とする請求項１記載の巻物製品梱包体。
【請求項５】
筒状部材の外径よりも小さな孔径の孔を有するシート状部材以外のシート状部材が有する孔の孔径がボビン端部の内径と略同径であり、筒状部材はボビン端の内周と嵌合する外径を有することを特徴とする請求項４記載の巻物製品梱包体。
【請求項６】
製品が炭素繊維である請求項１〜５のいずれか１項記載の巻物製品梱包体。
【請求項７】
巻物製品の少なくとも鉛直方向外周がフィルムで被覆されていることを特徴とする請求項１〜６のいずれか１項記載の巻物製品梱包体。
【請求項８】
巻物製品梱包体の少なくとも鉛直方向外周がフィルムで一体的に被覆されていることを特徴とする請求項１〜７のいずれか１項記載の巻物製品梱包体。
【請求項９】
製品がボビンに巻かれてなる巻物製品の複数本をボビンの軸を略鉛直方向として整列配置した段を複数積層する巻物製品の梱包方法であって、それぞれの段において、巻物製品をボビン端部において端部保持材によって略鉛直方向に支持し、巻物製品を端部保持材におけるボビン外表面の少なくとも一部を支持する略鉛直方向に貫通した孔を有する凹部またはボビン内表面の少なくとも一部を支持する略鉛直方向に貫通した孔を有する凸部によって係止し、巻物製品における製品端面を端部保持材に接しないようにし、鉛直方向に対向するボビン端部同士を互いに接しないようにすることを特徴とする巻物製品の梱包方法。
【発明の詳細な説明】
【技術分野】
【０００１】
本発明は巻糸体、フィルム、テープ等の巻物製品を整列して多段に梱包する、巻物製品梱包体およびその梱包方法に関するものである。
【背景技術】
【０００２】
繊維糸条やフィルム、テープなどは、ボビンに巻き付けられ、円筒形状（チーズ状）や紡錘形状の巻物製品とされる場合が多い。そして、これらの巻物製品を運搬・輸送するために梱包するに際しては、従来、巻物製品を箱内に、ダンボールや発泡プラスチック等の板状の弾性部材を介在させて、多段に積層し配置して収納したり、前記板状の弾性部材にボビンの挿入孔を設けて、巻物製品の上面及び下面を固定したり、さらには、箱内に収納した巻物製品間に発泡プラスチック等の保護材を充填して保護を強化していた。さらに梱包の効率を上げるため、複数の巻物製品を多段に積層する手段や、保護の強化のために巻物製品のボビンを固定して安定化させる方法等が提案されている。
【０００３】
例えば、巻物製品を多段に積み重ね、それぞれの巻物製品ボビン端同士で支承する糸条巻取体の積層梱包体が提案されている（特許文献１）。また巻物製品ボビン端同士の間に硬質支持板を介在させボビンを安定し固定する梱包体が提案されている（特許文献２）。さらに、板状の弾性部材にボビン挿入孔を設け、巻物製品端面と弾性部材を接触させ、支持させている梱包体も提案されている（特許文献３）。
【０００４】
しかしながら、前記した特許文献１のような梱包体はボビン同士が接触するためボビンの損傷に繋がる恐れがある。また特許文献２のような梱包体は硬質の保護部材やボビン係止具等の特別な器具を用いるため、紙管の固定には効果があるが、紙管とボビン係止具との固定作業に時間を要したり、ボビンが紙等の軟質な素材の場合荷重がかかった際、保護部材により該ボビンを傷めたりする可能性があり、さらに製作や廃棄にコストがかかる点で改良が必要であった。また、特許文献３のような梱包体では炭素繊維のような伸度が低く、弾性率が高い巻物製品の場合、巻物製品端面が擦過されて、糸の劣化や単繊維切れが生じ、変形し輸送中に梱包体の安定が確保されない恐れがある。
【０００５】
したがって、より安価で効率よく梱包でき、かつ、巻物製品端面に負荷をかけずに十分な保管・輸送安定性を有する梱包体、特に、炭素繊維の巻物製品の梱包体の開発が強く望まれていた。
【先行技術文献】
【特許文献】
【０００６】
【特許文献１】実用新案登録第３１３１６３６号公報
【特許文献２】特開平７−１７５５５号公報
【特許文献３】特開２０００−３０９３７６号公報
【発明の概要】
【発明が解決しようとする課題】
【０００７】
本発明は特別な保護部材や器具を用いることなく、安価で効率よく梱包でき、かつ、製品やボビンに負荷をかけずに十分な保管性・輸送安定性を有する巻物製品梱包体を提供することにある。
【課題を解決するための手段】
【０００８】
本発明は、製品がボビンに巻かれてなる巻物製品の複数本がボビンの軸を略鉛直方向として整列配置された段が複数積層された巻物製品の梱包体であって、それぞれの段において、巻物製品はボビン端部において端部保持材によって略鉛直方向に支持され、巻物製品は端部保持材におけるボビン外表面の少なくとも一部を支持する略鉛直方向に貫通した孔を有する凹部またはボビン内表面の少なくとも一部を支持する略鉛直方向に貫通した孔を有する凸部によって係止され、巻物製品における製品端面は端部保持材に接しておらず、鉛直方向に対向するボビン端部同士は互いに接しないことを特徴とする巻物製品梱包体である。
【０００９】
本発明の巻物製品梱包体は、端部保持材は二層以上のシート状部材からなり、製品端面と対向するシート状部材以外の少なくとも一層のシート状部材がボビン端部の外径よりも小さな孔径の孔を有し、ボビン端部の外径よりも小さな孔径の孔を有するシート状部材によってボビン端部が支持されることが好ましい。
【００１０】
さらに、本発明の巻物製品梱包体は、巻物製品端面と対向するシート状部材はボビン端の外周と嵌合する孔径の孔を有することが好ましい。
【００１１】
あるいは、本発明の巻物製品梱包体は、端部保持材はボビン端部内径以下の孔径の孔を有する二層以上のシート状部材およびボビン端部内径以下の孔径の孔よりも小さな外径を有する筒状部材からなり、製品端面と対向するシート状部材以外の少なくとも一層のシート状部材は筒状部材の外径よりも小さな孔径の孔を有することで筒状部材を支持しており、筒状部材および製品端面と対向するシート状部材によってボビン端部が支持されることが好ましい。
【００１２】
さらに、本発明の巻物製品梱包体は、筒状部材の外径よりも小さな孔径の孔を有するシート状部材以外のシート状部材が有する孔の孔径がボビン端部の内径と略同径であり、筒状部材はボビン端の内周と嵌合する外径を有することが好ましい。
【００１３】
本発明の巻物製品梱包体においては、製品が炭素繊維であることが好ましい。
【００１４】
本発明の巻物製品梱包体は、巻物製品の少なくとも鉛直方向外周がフィルムで被覆されていることが好ましい。
【００１５】
また、本発明の巻物製品梱包体は、巻物製品梱包体の少なくとも鉛直方向外周がフィルムで一体的に被覆されていることが好ましい。
【００１６】
また、本発明は、製品がボビンに巻かれてなる巻物製品の複数本をボビンの軸を略鉛直方向として整列配置した段を複数積層する巻物製品の梱包方法であって、それぞれの段において、巻物製品をボビン端部において端部保持材によって略鉛直方向に支持し、巻物製品を端部保持材におけるボビン外表面の少なくとも一部を支持する略鉛直方向に貫通した孔を有する凹部またはボビン内表面の少なくとも一部を支持する略鉛直方向に貫通した孔を有する凸部によって係止し、巻物製品における製品端面を端部保持材に接しないようにし、鉛直方向に対向するボビン端部同士を互いに接しないようにすることを特徴とする巻物製品の梱包方法である。
【発明の効果】
【００１７】
本発明の巻物製品梱包体においては、端部保持材によって巻物製品のうちのボビン端部が支持され、端部保持材に巻物製品のうちの製品端面は非接触であり、さらにボビン端部同士も非接触であるため、製品およびボビンのいずれにも過度な荷重がかからず荷重が分散化される。
【００１８】
また、端部保持材は凹部または凸部を有しそれらが略鉛直方向に貫通した孔を有するため、巻物製品の配置および位置決めがし易く、巻物製品の複数本を整列配置した段と端部保持材とを多段に積層した際、巻物製品梱包体の上部から巻物製品のボビンの孔と端部保持材の孔が整列配置されているか確認でき、多段積みによるずれを防ぐことで荷崩れが起きにくくなる。
【００１９】
巻物製品はフィルムにより被覆され、巻物製品梱包体もフィルムにより一体的に被覆されているため内部の巻物製品が保護されると共に巻物製品梱包体の荷姿も保持される。
【００２０】
また、端部保持材は安価なダンボール等で製作できるため経済的にも有用である。
【図面の簡単な説明】
【００２１】
【図１】本発明において端部保持材凹部によって巻物製品のボビン端を支える一例を示す図である。
【図２】本発明において端部保持材凸部によって巻物製品のボビン端を支える一例を示す図である。
【図３】本発明において端部保持材凹部によって巻物製品のボビン端を支える梱包体の要部を示す縦断面図である。
【図４】本発明において筒状部材を有する端部保持材によって巻物製品のボビン端を支える梱包体の要部を示す縦断面図である。
【図５】本発明の端部保持材の一例を示す上面図である。
【図６】図５の端部保持材に巻物製品を整列配置し複数段積み上げた梱包体の様子を示す図である。
【発明を実施するための形態】
【００２２】
本発明におけるボビンとは、長尺の製品を巻き取るための基材であって、円筒形のものが多用されるが、これに限定されるものではない。ボビンの材質としては、一般的に硬質の紙製、プラスチック製、木製、金属製等のものが使用され、好ましくはクラフト紙や再生紙から成る紙管原紙を円筒状に成形した紙管等が用いられる。
【００２３】
本発明における製品としては、繊維糸条やフィルム、テープ等が例示され、これら製品をボビンに巻き取ったものが巻物製品となる。製品がボビンに巻かれる際の巻き姿は円筒状や紡錘形状のものが多いが、特に制限されるものではない。本発明における巻物製品はボビンの鉛直方向長さに比較して、ボビンに巻かれる製品の巻幅の方が短いものを意味する。本発明が最も効果的に適用されるのは、ガラス繊維や炭素繊維、炭化ケイ素繊維などの引張弾性率が高い無機繊維糸条を円筒形のボビンに円筒状に巻き取った巻物製品であり、好ましくは炭素繊維の巻物製品であり、もっとも好ましくは引張弾性率が２００〜６５０ＧＰａのアクリロニトリル系炭素繊維に適用した場合に、比較的簡易な梱包で、効率よく製品の毛羽発生を防止することができるので好ましい。
【００２４】
端部保持材とは、ボビンの軸を略鉛直方向として配置された巻物製品の間に挿入されて巻物製品を支える部材であって、好ましくは、ボビンと接触する部分に略鉛直方向の荷重がかかった際、その方向に収縮するように変形することで、緩衝作用を有し、巻物製品のボビン端部への負担を軽減する部材である。このような緩衝作用を有する端部保持材の材質としては、例えば、ポリスチレンやポリウレタン等の発泡樹脂、硬質ゴム、ダンボールが挙げられる。
【００２５】
本発明におけるシート状部材とは、緩衝作用を有する端部保持材の材質であるポリスチレンやポリウレタン等の発泡樹脂、硬質ゴム、ダンボールなどから形成された板、シートまたはフィルム等の板状のものを意味する。端部保持材は、好ましくは厚みが１〜１５ｍｍ、さらに好ましくは４〜９ｍｍの段ボールから成るシート状部材を２〜１０枚貼り合わせたものである。ダンボールを貼り合わせた端部保持材の厚みは好ましくは３５〜５５ｍｍである。また好ましくはほぼ四角形でコーナーの角部が面取りされた形状のものである。
【００２６】
ボビン外表面の少なくとも一部を支持する凹部とは、端部保持材が有する孔の側面によってボビン外表面を保持し、横方向のずれを防ぐ凹部である。
【００２７】
また、ボビン内表面の少なくとも一部を支持する凸部とは、端部保持材上の凸部であり、凸部にボビン内表面部を接触させることで横方向のずれを防ぐことができる。
【００２８】
略鉛直方向に貫通した孔とは、凹部または凸部内に鉛直方向に端部保持材を貫通するように開いた孔であり、好ましくは、端部保持材上にボビンを積載したときに端部保持材の孔がボビン軸と同心に配置され、該孔に内接する円の径がボビンの内径に対して、−２〜＋５ｍｍの関係にあるものが好ましい。また孔の形は特に限定されず、円形のほか三角形や四角形などの多角形であってもよいが、円形であることが好ましい。この孔を配置することにより、整列されたボビンと端部保持材を積層した後、上方から巻物製品梱包体を見た際、ボビンの孔と端部保持材の孔が重なり合うためボビンと端部保持材のずれが一目で分かり、ボビンがずれて配置されたことを視認したときには、当該孔を通してボビンの位置を微調整することによって、ボビンのずれによる積み崩れを容易に防ぐことができる。
【００２９】
本発明に係る端部保持材において、ボビン端部の外径よりも小さな孔径の孔とは、好ましくは円形の孔であるがそれに限定されない。孔の形が多角形であるなど円形でない場合、外径よりも小さな孔径における孔径とは、孔に内接する円の径を指す。
【００３０】
また、本発明に係る端部保持材において、ボビン端部内径以下の孔径の孔とは、好ましくは円形の孔であるがそれに限定されない。孔の形が多角形であるなど円形でない場合、内径以下の孔径における孔径とは、孔に外接する円の径を指す。
【００３１】
本発明に係る端部保持材において、ボビン端部内径以下の孔径の孔よりも小さな外径を有する筒状部材とは、ボビンをボビン内表面において支持する部材であり好ましくは円筒状であることが望ましいがその限りではない。多角筒状であるなど円筒状でない場合、ボビン端部内径以下の孔径の孔よりも小さな外径とは筒状部材に外接する円の径を指す。
【００３２】
本発明の巻物製品梱包体とは、上述のような巻物製品の複数本がボビンの軸を略鉛直方向として整列配置された段と、端部保持材が交互に積層された梱包体である。通常は、この梱包体の最上段と最下段にも同様の端部保持材が配置されている。本発明の巻物製品梱包体の中間の段では、端部保持材におけるボビン外表面の少なくとも一部を支持する略鉛直方向に貫通した孔を有する凹部またはボビン内表面の少なくとも一部を支持する略鉛直方向に貫通した孔を有する凸部によって係止され、巻物製品における製品端面は端部保持材に接しておらず、鉛直方向に対向するボビン端部同士は互いに接しないことを特徴とするものである。本発明の巻物製品梱包体において好ましいのは、巻物製品が複数本整列配置された段が２〜７段と、端部保持材からなる段が３〜８段とから形成されているものである。
【００３３】
巻物製品または巻物製品梱包体の少なくとも鉛直方向外周を被覆するフィルムは特に限定されるものではないが、例えば、ポリエチレン、ポリプロピレン、ポリエステル、ポリアミド等の厚さ５〜２０μｍのフィルムが挙げられる。好ましくは、熱によって収縮するフィルムであり炭素繊維巻糸体に埃や塵等が入らないよう密着して包装できるフィルムである。梱包体を一体的に被覆する方法としては、例えば一定の張力をかけて梱包体を包み込むことができる合成樹脂のストレッチフィルムを用いて梱包体の側面を巻回せば良い。
【００３４】
以下、図面を用いて本発明の一実施態様を説明する。
【００３５】
図１は端部保持材２の凹部によって巻物製品のボビン１の端を支える一例を示す図である。説明の簡略化のため、ボビン１の数が４の場合を図示しているが、ボビン１の数はこれに限られない。また説明のために巻物製品のうちのボビン１しか記載していない。端部保持材２はボビン１を係止するボビン挿入孔４を有し、ボビン挿入孔４の内部にボビン１の下端部を支持する部分を有する。
【００３６】
図３は、図１に関して、端部保持材２の構造の好ましい一例と、製品３のボビン１端部と端部保持材２が端部保持材２の凹部内部で接触しかつ製品３の端面と端部保持材２は非接触で配置された状態を説明するための図である。端部保持材２の凹部は、ボビン１の外径とほぼ同じ径のボビン挿入孔４と、それより小さな径を有する底部４’からなる。端部保持材２は、好ましくは複数のシート状部材からなり、中央のシート状部材２ａにはボビン２の内径と同じかそれより小さな孔が貫通している。端部保持材２は１〜３枚重ねたシート状部材２ａが１〜３枚重ねたシート状部材２ｂで上下からそれぞれ挟まれ、接着されているのが好ましい。シート状部材２ａの厚みは特に限定されないが、積層した際の荷重を吸収し収縮できるよう５〜１０ｍｍ程度が好ましい。上下のシート状部材には、中央のシート状部材２ａに設けられる孔と同心円であって、ボビン１の外径と同じかそれより少し大きな孔を有しており、当該孔にボビン１を差し込むことによって、上下のシート状部材の孔の側面とボビン１の外側面、中央のシート状部材２ａの表面とボビン１の端面によってボビン１を一体化して支える構造となっている。
【００３７】
巻物製品は、端部保持材２に設けたボビン挿入孔４の上に設置される。中央のシート状部材２ａの孔の径は、好ましくはボビン１の内径と同程度か１〜５ｍｍ程度小さい。シート状部材２ｂの孔の径は、ボビン１の外径と同程度であって、ボビン１の材質、形状と端部保持材２の材質によってボビン１を入れたときに緩みがないようその大きさを設定される。シート状部材２ｂの厚みは、製品３が巻かれていないボビン１の部分の長さより、小さく設定されている。シート状部材２ｂの厚みは、好ましくは５ｍｍ以上、さらに好ましくは１０ｍｍ以上あって、製品３が巻かれていないボビン１の部分に比べて２〜１５ｍｍ小さい。シート状部材２ｂの厚みをこのように設定することにより、製品３がボビン１挿入口に緩み無く嵌合することができるとともに、製品３の端面が端部保持材２に接触することを防ぐことができる。同様に巻物製品は、ボビン１の上面が端部保持材２に嵌合することによって固定される。このような構造を取ることによって、上下に積載したボビン１同士は直接接触することがない。さらに同様の操作を複数回繰り返すことによって必要段数の積載を行う。
【００３８】
図２は端部保持材２が有する凸部の側面によって、巻物製品のボビン１を支える一例を示す図である。図１の場合と同様に巻物製品のうちのボビン１しか記載していない。端部保持材２上の凸部によってボビン１の内表面が係止され、凸部の底部、すなわち端部保持材２の表面によってボビン１下端部が支持される。
【００３９】
図４は図２に関して、端部保持材２の好ましい構造と、製品３のボビン１の端部において端部保持材２がボビン１と接触し、ボビン１端部の内表面を孔６に挿入され接着された筒状部材５で係止し、製品３の端面と端部保持材２が非接触で配置された断面状態を説明するための図である。
【００４０】
端部保持材２は、好ましくは複数のシート状部材と筒状部材５からなる。さらに好ましくは１〜３枚重ねたシート状部材２ｃが１〜３枚重ねたシート状部材２ｄで上下からそれぞれ挟まれ、接着された状態である。シート状部材２ｃの厚みは特に限定されないが、５〜１０ｍｍ程度が好ましい。端部保持材２は巻物製品の上面に配置されるシート状部材２ｄに入り口部分がボビン１内径とほぼ同径の孔６を設置している。さらに孔６には内部に筒状部材５の内径とほぼ同径の孔を有するシート状部材２ｃが配置されており、筒状部材５の下端面がシート状部材２ｃによって支えられている。シート状部材２ｄの孔の径は好ましくはボビン１内径と同程度か１〜５ｍｍ程度小さい。筒状部材５の外径はシート状部材２ｄの孔径と同程度が好ましい。シート状部材２ｄの厚みは合計で５ｍｍ以上、さらに好ましくは１０ｍｍ以上であり筒状部材５を安定して固定できる厚みが好ましい。筒状部材５の高さは、シート状部材２ｄの厚みより大きいことが必要であって、高さが５ｍｍ以上、好ましくは１０ｍｍ以上であって、１００ｍｍ以下であることがボビン１の固定、操作性の面から好ましい。
【００４１】
巻物製品は、端部保持材２上に設置される。同様に巻物製品は、ボビン１の上面が別の端部保持材２によって固定される。また、上面の端部保持材２をボビン１に嵌め合わせるときに、端部保持材２に設置した孔によってボビン１の位置を確認しながら手を差し込むことなどでボビン１の位置を調整できる。さらに同様の操作を複数回繰り返すことによって、必要段数の積載を行う。
【００４２】
筒状部材５は端部保持材２の一部を構成するボビン１端部の内表面を内側から支える部材であり、シート状部材に接着等の方法で固定されるのが好ましい。筒状部材５の材質としては、特に限定されるものではないが、シート状部材との接着性や、紙管の固定性、ボビンを損傷させないことを考慮すると紙管と同様の材質が好ましい。筒の厚みも特に限定されないが、２〜１０ｍｍ程度でありボビンを係止してもずれや変形のない程度の厚みが好ましい。
【００４３】
図５は端部保持材２の一例の上面図である。ここでは例として縦６×横８＝４８本のボビンを各段積層する場合を想定している。図示したように端部保持材２のコーナーは面取りされているものが好ましい。
【００４４】
図６は端部保持材２が凹部を持つ場合で、図５の端部保持材２にボビンを挿入し整列配置した後順番に各層を積層し５段積みにした例の全体図である。このように積層したあと、図示していないフィルム、好ましくはシュリンクフィルムなどで鉛直方向外周を被覆して巻物製品梱包体を作製することが好ましい。
【実施例】
【００４５】
円筒状の長さ１９２ｍｍ、外径８２ｍｍ、内径７６ｍｍ（厚さ３ｍｍ）のボビンに炭素繊維を幅１５６ｍｍに円筒状に２．０ｋｇ巻き取った炭素繊維巻糸体製品を準備した。図３、図５で示すよう１枚当たり４８個の孔を有する厚み７．５ｍｍのダンボールを６枚積層し接着し端部保持材を準備した。なお、６枚のうち真ん中の２枚はボビン内径と同一の径の孔を持ち、それを挟む他の４枚はボビン外径とほぼ同一の径でボビンの孔と同心の孔とした。ボビン上の製品が巻かれていない部分の長さと、ダンボールの厚みを調整して、製品の端面と端部保持材とのクリアランスが３ｍｍとなるようにした。
【００４６】
上記の端部保持材の孔に炭素繊維巻糸体製品を挿入した。これを炭素繊維巻糸体製品５段に端部保持材を６段になるまで積層し本発明の巻物製品梱包体を得た。
【００４７】
得られた本発明の巻物製品梱包体は、巻物製品のボビン端部がボビン挿入孔において端部保持材と接触して配置されている巻物製品梱包体である。図３に示したように製品の端面は端部保持材とは非接触であり、また積層したボビン端同士は端部保持材によって隔てられており、直接触れ合うことがないために振動によるずれが起きた場合でも巻物製品端面がこすれて破損するようなことがなかった。トラック輸送を実施したが、製品端面およびボビンの損傷や破損はなかった。また全体をシュリンクフィルムで捲回することにより、防汚性を向上させ、輸送時の取り扱いも向上させることが出来た。
【産業上の利用可能性】
【００４８】
本発明は、炭素繊維のパッケージをはじめとした巻物製品を簡単な方法で、製品を保護しながら運搬、輸送するための巻物製品梱包体に適用が可能である。
【符号の説明】
【００４９】
１  ボビン
２  端部保持材
２ａ  ボビン端部外径より小さな孔径の孔を有するシート状部材
２ｂ  ボビン端部外径と嵌合する孔を有するシート状部材
２ｃ  筒状部材５の外径より小さな孔を有するシート状部材
２ｄ  ボビン端部内径以下の孔径の孔を有するシート状部材
３  製品
４  ボビン挿入孔
４’４より小さな孔
５  筒状部材
６  孔
【図１】
2015113171.tif 000003
【図２】
2015113171.tif 000004
【図３】
2015113171.tif 000005
【図４】
2015113171.tif 000006
【図５】
2015113171.tif 000007
【図６】
2015113171.tif 000008